(57)【要約】【課題】複数の照明器具本体が直列接続される照明装置において、照明器具本体の端部に形状変形が生じない照明装置を提供する。【解決手段】連結金具１００Ａは、照明器具本体２０Ａと、照明器具本体２０Ｂとを直列に連結する連結具である。連結金具１００Ａは、収容凹部２２Ａに固定される金具凹部１０１Ａと、金具凹部１０１Ａと反射部２１Ａ−１の外側短手方向Ｙ１の端部であるカール部３０Ａ−１とに接続する金具傾斜部１０２Ａ−１とを有する。また、連結金具１００Ａは、金具凹部１０１Ａと反射部２１Ａ−２の外側短手方向Ｙ１の反対方向における端部のカール部３０Ａ−２とに接続する金具傾斜部１０２Ａ−２とを有する。【選択図】図５
2018088309.tif 000002
【特許請求の範囲】
【請求項１】
光源ユニットの少なくとも一部を収容する凹形状の収容空間が形成された長手形状の収容凹部と、前記収容凹部の長手方向である凹部方向に沿う一方の側縁と他方の側縁とのうち前記一方の側縁から、前記収容凹部の短手方向であり前記一方の側縁及び前記他方の側縁から離れる方向の短手方向である外側短手方向に延びる、第１の反射部とを有する第１の照明器具本体と、
第２の反射部を有し長手形状の第２の照明器具本体と
を直列に連結する連結具であって、
前記凹部方向における前記第１の照明器具本体の一方の端部において、前記収容空間の反対側で前記収容凹部に取り付けられる連結側固定部と、
前記連結側固定部と、前記第１の反射部の前記外側短手方向の端部とに接続する連結側接続部と
を有する連結具。
【請求項２】
前記連結具は、さらに、
前記一方の端部で前記第１の反射部の反射面の裏面に固定され、前記一方の端部の前記凹部方向における先端よりも突き出し、前記一方の端部に対向する前記第２の照明器具本体の長手方向の端部である対向端部に配置された第２の連結具と前記第２の反射部とによって咥えられる連結側突き出し部
を備える請求項１に記載の連結具。
【請求項３】
前記連結具は、さらに、
前記一方の端部で前記第１の反射部の反射面の裏面に固定され、前記第２の照明器具本体から前記凹部方向に突き出ている連結側突き出し部を弾性力によって前記裏面との間に咥える連結側バネ部
を備える請求項１に記載の連結具。
【請求項４】
前記連結側固定部は、
前記収容凹部の形状に沿った形状に形成されており、
前記連結側突き出し部は、
前記第１の反射部の形状に沿った形状に形成されている請求項２に記載の連結具。
【請求項５】
前記連結側固定部は、
前記収容凹部の形状に沿った形状に形成されており、
前記連結側バネ部は、
前記第１の反射部の形状に沿った形状に形成されている請求項３に記載の連結具。
【請求項６】
前記連結具は、さらに、
前記第１の反射部の前記裏面に対して立ち上がる形状の立ち上がり部を有する請求項２から請求項５のいずれか１項に記載の連結具。
【請求項７】
光源ユニットの少なくとも一部を収容する凹形状の収容空間が形成された長手形状の収容凹部と、前記収容凹部の長手方向である凹部方向に沿う一方の側縁と他方の側縁とのうち前記一方の側縁から、前記収容凹部の短手方向であり前記一方の側縁及び前記他方の側縁から離れる方向の短手方向である外側短手方向に延びる、反射部とを有する照明器具本体と、
前記凹部方向における前記照明器具本体の一方の端部において前記収容空間の反対側で前記収容凹部に取り付けられる連結側固定部と、前記連結側固定部と前記第１の反射部の前記外側短手方向の端部とに接続する連結側接続部とを有する連結具と
を備える連結用照明器具本体。
【請求項８】
前記連結具は、さらに、
前記一方の端部で前記反射部の反射面の裏面に固定され、前記一方の端部の前記凹部方向における先端よりも突き出す連結側突き出し部
を備える請求項７に記載の連結用照明器具本体。
【請求項９】
前記連結具は、さらに、
前記一方の端部で前記反射部の反射面の裏面に固定され、前記裏面とともに挟持機構を形成する連結側バネ部
を備える請求項６に記載の連結用照明器具本体。
【請求項１０】
光源ユニットの少なくとも一部を収容する凹形状の収容空間が形成された長手形状の収容凹部と、前記収容凹部の長手方向である凹部方向に沿う一方の側縁と他方の側縁とのうち前記一方の側縁から前記収容凹部の短手方向であり前記一方の側縁及び前記他方の側縁から離れる方向の短手方向である外側短手方向に延びる反射部とを有する複数の照明器具本体を備え、各照明器具本体が直列に接続された照明装置であって、
前記複数の照明器具本体のうち第１の照明器具本体に配置される第１の連結具と、
前記複数の照明器具本体のうち前記第１の照明器具本体に隣接する第２の照明器具本体に配置される第２の連結具と
を備え、
前記第１の連結具は、
前記凹部方向における前記第１の照明器具本体の一方の端部において、前記収容空間の反対側で前記収容凹部に取り付けられた第１の連結側固定部と、前記第１の連結側固定部と前記第１の照明器具本体の前記反射部の前記外側短手方向の端部とに接続する第１の連結側接続部とを有し、
前記第２の連結具は、
前記凹部方向における前記第２の照明器具本体の一方の端部であり前記第１の照明器具本体の前記一方の端部に対向する一方の端部である対向端部において、前記収容空間の反対側で前記収容凹部に取り付けられた第２の連結側固定部と、前記第２の連結側固定部と前記第２の照明器具本体の前記反射部の前記外側短手方向の端部とに接続する第２の連結側接続部とを有する
照明装置。
【請求項１１】
前記第１の連結具は、さらに、
前記第１の照明器具本体の前記一方の端部で前記第１の照明器具本体の前記反射部の反射面の裏面に固定され、前記第１の照明器具本体の前記一方の端部の前記凹部方向における先端よりも突き出す第１の連結側突き出し部を有し、
前記第２の連結具は、さらに、
前記対向端部で前記反射部の反射面の裏面に固定され、前記第１の連結側突き出し部を弾性力によって前記第２の照明器具本体の前記裏面との間に咥える第２の連結側バネ部
を備える請求項１０に記載の照明装置。
【請求項１２】
前記第１の照明器具本体の前記一方の端部の前記凹部方向における端面と、
前記第２の照明器具本体の前記対向端部の前記凹部方向における端面とは、
当接している請求項１０または請求項１１に記載の照明装置。
【発明の詳細な説明】
【技術分野】
【０００１】
本発明は、複数の照明器具本体が直列接続される照明装置に関する。
【背景技術】
【０００２】
従来では、特許文献１の第２図のように、２つの照明器具本体が直列に接続される構造がある。
【先行技術文献】
【特許文献】
【０００３】
【特許文献１】特開２０１６−２５０６５号公報
【発明の概要】
【発明が解決しようとする課題】
【０００４】
従来では、２つの照明器具本体どうしを直列に接続する場合、連結する箇所の一方の照明器具本体の端部と、他方の照明器具本体の端部とには、形状変形を規制する部材が存在しないため、接続される両方の照明器具本体の端部が形状変形するおそれがあった。
また、照明器具本体は、製造上のばらつきにより、接続される両方の照明器具本体の端部の形状が一致せず、直列接続をした場合、端部どうしが当接しないおそれがあった。
これらの理由のため、隣接する照明器具本体どうしを連結したときに、接続部分の両方の照明器具本体の端部どうしの間に段差、あるいは隙間が生じるおそれがあった。
【０００５】
本発明は、複数の照明器具本体が接続される照明装置において、隣接する照明器具本体同士の接続部分に段差が生じることなく、接続部分が連続的に接続する照明装置の提供を目的とする。
【課題を解決するための手段】
【０００６】
この発明の連結具は、
光源ユニットの少なくとも一部を収容する凹形状の収容空間が形成された長手形状の収容凹部と、前記収容凹部の長手方向である凹部方向に沿う一方の側縁と他方の側縁とのうち前記一方の側縁から、前記収容凹部の短手方向であり前記一方の側縁及び前記他方の側縁から離れる方向の短手方向である外側短手方向に延びる、第１の反射部とを有する第１の照明器具本体と、
第２の反射部を有し長手形状の第２の照明器具本体と
を直列に連結する連結具であって、
前記凹部方向における前記第１の照明器具本体の一方の端部において、前記収容空間の反対側で前記収容凹部に取り付けられる連結側固定部と、
前記連結側固定部と、前記第１の反射部の前記外側短手方向の端部とに接続する連結側接続部と
を有する。
【発明の効果】
【０００７】
本発明により、複数の照明器具本体が接続される照明装置において、隣接する照明器具本体同士の接続部分に段差が生じることなく、接続部分が連続的に接続する照明装置を提供できる。
【図面の簡単な説明】
【０００８】
【図１】実施の形態１の図で、照明装置１０の斜視図。
【図２】実施の形態１の図で、照明装置１０の別の斜視図。
【図３】実施の形態１の図で、照明器具本体２０と連結金具との関係を示す断面図。
【図４】実施の形態１の図で、３つの照明器具本体２０を切り離した状態の斜視図。
【図５】実施の形態１の図で、連結金具１００と連結金具２００との接続方法を説明する斜視図。
【図６】実施の形態１の図で、連結金具２００の斜視図。
【図７】実施の形態１の図で、連結金具１００と連結金具２００との接続を説明する概略図。
【図８】実施の形態１の図で、連結金具１００及び連結金具２００の変形例を示す図。
【発明を実施するための形態】
【０００９】
実施の形態１．
図１〜図８を参照して、実施の形態１の照明装置１０を説明する。図１は照明装置１０の斜視図である。図２は図１のＦ方向からみた照明装置１０の斜視図である。図３は、図２のＤ−Ｄ断面図である。図３では照明器具本体２０Ａの断面はハッチングを省略している。図４は、３つの照明器具本体を切り離した状態の斜視図である。図５は、連結金具１００と連結金具２００との接続方法を説明する斜視図である。図６は、連結金具２００の斜視図である。
【００１０】
実施の形態１では、照明器具本体２０Ａ、２０Ｂ、２０Ｃから構成される全体を、照明装置１０と呼ぶ。なお、以下では照明器具本体２０Ａ等は、器具本体２０Ａ等と記す。
【００１１】
図１、図２及び図４のように、照明装置１０は、３つの器具本体２０Ａ、２０Ｂ、２０Ｃを備えている。器具本体２０Ａと、器具本体２０Ｃには、端板５０が装着されている。図１のように、器具本体２０Ａ、２０Ｂ、２０Ｃに装着される各光源ユニットを光源ユニット４０Ａ，４０Ｂ，４０Ｃとする。器具本体２０Ａ、２０Ｂ，２０Ｃの有する要素、これらに取り付けられる部品及び機器等は、それぞれアルファベットＡ，Ｂ，Ｃを付して区別する。なお、区別の必要がない場合はＡ，Ｂ，Ｃを省略する。
実施の形態１では、３つの器具本体２０Ａ、２０Ｂ、２０Ｃが直列接続される場合を示しているが例示であり、２つの器具本体が直列接続される構成でもよいし、４つ以上の器具本体が直列接続される構成でもよい。
【００１２】
＜照明装置１０の特徴＞
照明装置１０の特徴は、照明装置１０の備える連結金具１００及び連結金具２００にある。図２のように、照明装置１０の特徴は、隣接する器具本体２０どうしを、連結金具１００と、連結金具２００との組を用いて接続する点にある。図２では、連結金具１００Ａ及び連結金具２００Ｂに着目した場合、連結金具１００Ａは器具本体２０Ａに固定されており、連結金具２００Ｂは器具本体２０Ｂに固定されている。連結金具１００Ａが固定されている箇所である器具本体２０Ａの端部は連結金具１００Ａによって形状変形が拘束され、連結金具２００Ｂが固定されている箇所である器具本体２０Ｂの端部は連結金具２００Ｂによって形状変形が拘束される。よって、接続部分の両方の器具本体の端部どうしの間に段差の生じることを防止できる。連結金具１００Ｂと連結金具２００Ｃとによる接続も同様である
【００１３】
＜器具本体２０の構成＞
図３は図２のＤ−Ｄ断面図であるが、器具本体２０Ｂの断面の形状は、器具本体２０Ｂの長手方向の端部の端面形状と同じである。図３を参照して、器具本体２０Ｂを例に説明する。器具本体２０Ｂの説明は、器具本体２０Ａ及び器具本体２０Ｃについても当てはまる。器具本体２０Ｂは、収容凹部２２Ｂ、反射部２１Ｂ−１を備えている。収容凹部２２Ｂは、光源ユニット４０Ｂの少なくとも一部を収容する凹形状の収容空間２５Ｂが形成されている。収容凹部２２Ｂは長手形状である。収容凹部２２Ｂは、図３においてｐ、ｑ、ｒ、ｓで示している。反射部２１Ｂ−１は、収容凹部２２Ｂの長手方向である凹部方向Ｘ（図１）に沿う一方の側縁２６Ｂ−１（ｐで示される）と他方の側縁２６Ｂ−２（ｓで示される）とのうち側縁２６Ｂ−１から、収容凹部２２Ｂの短手方向であり側縁２６Ｂ−１及び側縁２６Ｂ−２から離れる方向の短手方向である外側短手方向Ｙ１に延びる。反射部２１Ｂ−１は、図３においてｐ、ｔ１、ｔ２、ｔ３、ｔ４で示している。器具本体２０Ｂは、図３のように、反射部２１Ｂ−１と対をなす反射部２１Ｂ−２を備えている。反射部２１Ｂ−２は、図３においてｐ、ｔ５、ｔ６、ｔ７、ｔ８で示している。
【００１４】
＜連結金具１００、連結金具２００＞
図４のように、照明装置１０は、第１の連結具９１００である連結金具１００と、第２の連結具９２００である連結金具２００を備えている。具体的には、照明装置１０は、器具本体２０Ａに配置された連結金具１００Ａ、器具本体２０Ｂに配置された連結金具２００Ｂ及び連結金具１００Ｂ、器具本体２０Ｃに配置された連結金具２００Ｃを備えている。図２のように、連結金具１００Ａと連結金具２００Ｂとが接続し、連結金具１００Ｂと連結金具２００Ｃとが接続する。第１の連結具９１００である連結金具１００Ａと連結金具１００Ｂとは同じ構成であり、第２の連結具９２００である連結金具２００Ｂと連結金具２００Ｃとは同じ構成である。
なお、連結金具を備える器具本体は連結用照明器具本体である。図４において、連結金具１００Ａが取り付けられた器具本体２０Ａ、連結金具２００Ｂ及び連結金具１００Ｂが取り付けられた器具本体２０Ｂ、及び連結金具２００Ｃが取り付けられた器具本体２０Ｃは、いずれも連結用照明器具本体である。
【００１５】
連結金具１００Ａは、３つの器具本体２０のうち第１の器具本体９２０Ａである器具本体２０Ａに配置される。連結金具２００Ｂは、３つの器具本体のうち第１の器具本体９２０Ａに隣接する第２の器具本体９２０Ｂである器具本体２０Ｂに配置される。「第１の」と称する場合は器具本体２０Ａに関することを意味し、「第２の」と称する場合は器具本体２０Ｂに関することを意味する。また反射部２１Ａのように一対の場合は、一方の反射部を反射部２１Ａ−１と記載し、他方の反射部を反射部２１Ａ−２のように記載して、一方及び他方を「−１」、「−２」の符号で区別する。
【００１６】
＜連結金具１００と連結金具２００とに共通する特徴＞
連結金具１００及び連結金具２００は、器具本体２０よりも強度の高い材料で形成されている。下記の（１）〜（５）は、連結金具１００、連結金具２００に共通する。
つまり、連結金具１００と連結金具２００との構成は類似である。連結金具１００と連結金具２００との相違は、連結金具１００が金具爪部１１０を有するのに対して、連結金具２００が金具バネ部２１０を有することにある。これ以外は、連結金具１００と連結金具２００とは同じ構成である。なお、後述の電線送り孔の位置は対向する位置となるので、図５のＥ１方向では連結金具１００Ａの電線送り孔１０６Ａは連結ボルト孔１０５Ａよりも右側であり、Ｅ２方向では連結金具２００Ｂの電線送り孔２０６Ｂは連結ボルト孔１０５よりも左側になる点は異なる。また、連結ボルト孔の位置も電線送り孔と同様に位置が異ってもよい。これら以外、連結金具１００と連結金具２００との構成は同じである。連結金具１００は、金具凹部１０１、金具傾斜部１０２、金具立上部１０３、金具引っ掛け部１０４及び金具連結部１０７を備えている。連結金具２００も同様であり、連結金具２００は金具凹部２０１、金具傾斜部２０２、金具立上部２０３、金具引っ掛け部２０４及び金具連結部２０７を備えている。以下では、連結金具１００を例に説明する。なお、アルファベットＡ、「−１」等は省略している。
（１）金具凹部１０１：
図５に示すように、金具凹部１０１は、収容凹部２２を上から覆うように形成されている。金具凹部１０１は、天板１０１ａと、一対の側壁１０１ｂと、収容凹部２２の凹部方向Ｘの端部を塞ぐ閉塞板１０１ｃとを有する。閉塞板１０１ｃは金具連結部１０７である。金具凹部１０１と収容凹部２２との接続方法は、スポット溶接、接着材、リベット止め、凹凸による係合などである。図５に示す丸形状１１２は、スポット溶接を示している。（２）金具傾斜部１０２：
図３、図５のように、金具傾斜部１０２は、反射部２１と同じように傾斜している。金具傾斜部１０２は、反射部２１と一体的に接続されている。金具傾斜部１０２と反射部２１との接続方法は、スポット溶接、接着材、リベット止め、凹凸による係合などである。図５に示す丸形状１１３は、スポット溶接を示している。
（３）金具引っ掛け部１０４：
金具引っ掛け部１０４は、器具本体２０の短手方向Ｙの端部に、長手方向である凹部方向Ｘから挿し込まれ引っ掛けられる。つまり図５では、金具引っ掛け部１０４は、器具本体２０の短手方向Ｙの端部に形成されているカール部３０に対して、Ｅ１方向へ挿し込まれる。その後、金具凹部１０１、金具傾斜部１０２が、器具本体２０に対して、スポット溶接、接着材、リベット止め等によって固定される。
（４）金具連結部１０７：
図５のように、金具連結部１０７には連結ボルト孔１０５と電線送り孔１０６が形成されている。連結金具２００も同様であり、図６のように、金具連結部２０７には、連結ボルト孔２０５と電線送り孔２０６が形成されている。
金具連結部１０７及び金具連結部２０７により、隣接する照明器具の連結金具同士が連結ボルトで連結される。
（５）金具立上部１０３：
図３に示すように、金具立上部１０３、２０３は、器具本体２０が取り付けられる被取付部である天井等の開口に挿し込むときのガイドになる。金具立上部１０３は梁の機能も有し、連結金具１００の強度向上の効果もある。
【００１７】
＜金具爪部＞
（１）図５のように、連結金具１００は、器具本体２０の凹部方向Ｘから突設する金具爪部１１０を有している。
（２）連結金具２００は、弾性力を有する金具バネ部２１０を有している。図７に示すように、金具バネ部２１０の凹部方向Ｘの端部は、器具本体の凹部方向Ｘの端面３１Ｂよりも内側になる。
【００１８】
金具爪部、金具バネ部のそれぞれが金具傾斜部に形成され、金具傾斜部が反射部の変形を規制していることから、隣接する反射部に段差が形成されるのを抑制することができる。
【００１９】
＜連結金具１００の詳細＞
図５を参照して連結金具１００Ａを説明する。図３は連結金具２００の断面形状であるが、連結金具２００の断面形状は連結金具１００の断面形状と同一である。連結金具１００の断面とみるには、図３で符号の２００番台を１００番台にし、アルファベットＡをＢにすればよい。
（１）連結金具１００Ａは、第１の連結側固定部９１０１Ａである金具凹部１０１Ａと、第１の連結側接続部９１０２Ａである金具傾斜部１０２Ａ−１とを有する。
（２）金具傾斜部１０２Ａ−１は、図３では、ｐ、ｔ１、ｔ２、ｔ３、ｔ４に対応する、連結金具１００Ａの部位である。
（３）金具凹部１０１Ａは、図３及び図５のように、凹部方向Ｘにおける器具本体２０Ａの一方の端部２４Ａで、収容空間２５Ａとの間で収容凹部２２Ａを間に挟むように収容凹部２２Ａに固定される。このように、金具凹部１０１Ａは、一方の端部２４Ａにおいて、収容空間２５Ａの反対側で収容凹部２２Ａに取り付けられる。金具凹部１０１Ａは、収容凹部２２Ａの形状に沿った形状に形成されている。図３のように、金具凹部１０１Ａは、収容凹部２２Ａを示すｐ、ｑ、ｒ、ｓに沿った形状である。
（４）金具傾斜部１０２Ａ−１は、金具凹部１０１Ａと、器具本体２０Ａの反射部２１Ａ−１の外側短手方向Ｙ１の端部２７Ａ−１とに接続する。端部２７Ａ−１は、カール部３０Ａ−１である。
（５）金具傾斜部１０２Ａ−１は、金具凹部１０１Ａにおいて収容凹部２２Ａのｐ（側縁２６Ａ−１）に対応する箇所に接続している。金具傾斜部１０２Ａ−１と対をなす金具傾斜部１０２Ａ−２も、金具傾斜部１０２Ａ−１と同様の構成である。
（６）図３のように、金具傾斜部１０２Ａ−１は、第１の反射部９２１Ａである反射部２１Ａ−１の形状に沿った形状に形成されている。同様に、金具傾斜部１０２Ａ−２も、反射部２１Ａ−１と対をなす反射部２１Ａ−２の形状に沿った形状に形成されている。
（７）図３及び図５のように、連結金具１００Ａは、反射部２１Ａ−１の裏面２９Ａ−１に対して立ち上がる形状の立ち上がり部９１０３Ａである金具立上部１０３Ａ−１を有する。また、連結金具１００Ａは、金具立上部１０３Ａ−１と対をなす金具立上部１０３Ａ−２を有する。金具立上部１０３Ａ−２も立ち上がり部９１０３Ａである。金具立上部１０３Ａ−２は、反射部２１Ａ−２の裏面２９Ａ−２に対して立ち上がる。
【００２０】
＜連結金具２００Ｂの詳細＞
図３と図５を参照して連結金具２００Ｂを説明する。
（１）連結金具２００Ｂは、第２の連結側固定部９２０１Ｂである金具凹部２０１Ｂと、第２の連結側接続部９２０２Ｂである金具傾斜部２０２Ｂ−１とを有する。
（２）金具傾斜部２０２Ｂ−１は、図３では、ｐ、ｔ１、ｔ２、ｔ３、ｔ４に対応する、連結金具２００Ｂの部位である。
（３）金具凹部２０１Ｂは、図３、図５のように、凹部方向Ｘにおける器具本体２０Ｂの一方の端部であり器具本体２０Ａの一方の端部２４Ａに対向する一方の端部である対向端部２４Ｂで、収容空間２５Ｂとの間で収容凹部２２Ｂを間に挟むように収容凹部２２Ｂに固定される。このように、金具凹部２０１Ｂは、対向端部２４Ｂにおいて、収容空間２５Ｂの反対側で収容凹部２２Ｂに取り付けられる。金具凹部２０１Ｂは、収容凹部２２Ｂの形状に沿った形状に形成されている。図３に示すように、金具凹部２０１Ｂは、収容凹部２２Ｂを示すｐ、ｑ、ｒ、ｓに沿った形状であるのは連結金具１００Ａと同じである。
（４）金具傾斜部２０２Ｂ−１は、金具凹部２０１Ｂと、器具本体２０Ｂの反射部２１Ｂ−１の外側短手方向Ｙ１の端部２７Ｂ−１とに接続する。端部２７Ｂ−１は、カール部３０Ｂ−１である。
（５）金具傾斜部２０２Ｂ−１は、金具凹部２０１Ｂにおいて収容凹部２２Ｂのｐ（側縁２６Ｂ−１）に対応する箇所に接続している。金具傾斜部２０２Ｂ−１と対をなす金具傾斜部２０２Ｂ−２も、金具傾斜部２０２Ｂ−１と同様の構成である。これも連結金具１００Ａと同様である。
（６）図３のように、金具傾斜部２０２Ｂ−１は、第２の反射部９２１Ｂである反射部２１Ｂ−１の形状に沿った形状に形成されている。同様に、金具傾斜部２０２Ｂ−２も、反射部２１Ａ−１と対をなす他方の反射部２１Ｂ−２の形状に沿った形状に形成されている。
（７）図３及び図５のように、連結金具２００Ｂは、反射部２１Ｂ−１の裏面２９Ｂ−１に対して立ち上がる形状の立ち上がり部９２０３Ｂである金具立上部２０３Ｂ−１を有する。また、連結金具２００Ｂは、金具立上部２０３Ｂ−１と対をなす金具立上部２０３Ｂ−２を有する。金具立上部２０３Ｂ−２も立ち上がり部９２０３Ｂである。金具立上部２０３Ｂ−２は、反射部２１Ｂ−２の裏面２９Ｂ−２に対して立ち上がる。
【００２１】
＜金具爪部１１０Ａ＞
図５のように、連結金具１００Ａは、器具本体２０Ａの一方の端部２４Ａで器具本体２０Ａの反射部２１Ａ−１の反射面２８Ａ−１の裏面２９Ａ−１に固定され、器具本体２０Ａの一方の端部２４Ａの凹部方向Ｘにおける先端２０２Ａ（図５、図７）よりも突き出す第１の連結側突き出し部９１１０Ａである金具爪部１１０Ａ−１を有する。金具爪部１１０Ａ−１は、金具傾斜部１０２Ａ−１の一部として形成されている。
同様に、金具爪部１１０Ａ−２も、金具傾斜部１０２Ａ−２の一部として形成されている。
【００２２】
＜金具バネ部２１０Ｂ＞
図５、図６のように、連結金具２００Ｂは、対向端部２４Ｂで反射部２１Ｂ−１の反射面２８Ｂ−１の裏面２９Ｂ−１に固定され、金具爪部１１０Ａ−１を弾性力によって器具本体２０Ｂの裏面２９Ｂ−１との間に咥える連結側バネ部９２１０Ｂである金具バネ部２１０Ｂ−１を備える。このように、連結側バネ部９２１０Ｂは裏面２９Ｂ−１とともに、金具爪部１１０Ａ−１を挟む挟持機構を形成する。金具バネ部２１０Ｂ−１は、金具傾斜部２０２Ｂ−１の一部として形成されている。同様に、金具バネ部２１０Ｂ−２も、金具傾斜部２０２Ｂ−２の一部として形成されている。
【００２３】
図７は、連結金具１００Ａと連結金具２００Ｂとの接続を説明する概略図である。図７は図６のＧ−Ｇ断面に相当する概略図である。図７を参照して、連結金具１００Ａと連結金具２００Ｂとの接続を説明する。連結金具１００Ａは器具本体２０Ａに固定されており、連結金具２００Ｂは器具本体２０Ｂに固定されているので、連結金具１００Ａと連結金具２００Ｂとの接続は、器具本体２０Ａと器具本体２０Ｂとの接続である。
（１）連結金具１００Ａが固定されている反射部２１Ａ−１，２１Ａ−２の部位は、連結金具１００Ａの金具傾斜部１０２Ａ−１、１０２Ａ−２が接続されることで変形が規制されている。つまり、金具傾斜部１０２Ａ−１は、金具凹部１０１Ａと、反射部２１Ａ−１の外側短手方向Ｙ１の端部に接続されているので、金具引っ掛け部１０４Ａ−１の部分で反射部２１Ａ−１の変形を規制する。金具傾斜部１０２Ａ−２も同様である。
連結金具２００Ｂについても構成は連結金具１００Ａと同様であるので、連結金具２００Ｂが固定されている反射部２１Ｂ−１，２１Ｂ−２の部位も、連結金具２００Ｂによって変形が規制される。
（２）図５及び図７に示すように、凹部方向Ｘの端部の変形が規制された、器具本体２０Ａの反射部２１Ａ−１、２１Ａ−２と、器具本体２０Ｂの反射部２１Ｂ−１、２１Ｂ−２との間において、金具爪部１１０Ａ−１が、金具バネ部２１０Ｂ−１と、反射部２１Ｂ−１の反射面２８Ｂ−１の裏面２９Ｂ−１との間に押し込まれる。
また、金具爪部１１０Ａ−２が、金具バネ部２１０Ｂ−２と、反射部２１Ｂ−２の反射面２８Ｂ−２の裏面２９Ｂ−２との間に押し込まれる。金具爪部１１０Ａ−１，１１０Ａ−２は、金具バネ部２１０Ｂ−１，２１０Ｂ−２により裏面２９Ｂ−１、２９Ｂ−２へ押圧されて、保持される。
（３）このとき図７の（ｂ）に示すように、器具本体２０Ａの一方の端部２４Ａの凹部方向Ｘにおける端面３１Ａと、器具本体２０Ｂの対向端部２４Ｂの凹部方向Ｘにおける端面３１Ｂとは、段差を生じることなく当接する。
（４）隣接する器具本体を連結するときは、作業者は、連結金具１００の金具連結部１０７と、連結金具１００に対向する連結金具２００の金具連結部２０７とを当接させ、互いの連結ボルト孔が連通した状態で連結ボルトを取り付け、連結する。このとき、連結金具１００の金具爪部１１０は、連結金具２００の金具バネ部２１０と反射部２１との間に挿し込まれる。このとき、電線送り孔どうしは連通しており、隣接する器具本体の間で電線を送ることができる。
【００２４】
＜連結金具１００及び連結金具２００の変形例＞
図８の（ａ）は連結金具１００の変形例の連結金具３００の斜視図であり、図８の（ｂ）は連結金具２００の変形例の連結金具４００の斜視図である。器具本体２０の凹部方向Ｘにおける端部の変形を拘束する機構としての部材Ａと、隣接する器具本体の間の反射部どうしの段差を規制する機構としての部材Ｂとが、別々の部材で形成されてもよい。図８は、この例である。
【００２５】
部材Ａは部材Ａ１と部材Ａ２とからなる。部材Ａ１は、金具連結部１０７に相当し、隣接する器具本体同士を連結する機能を有する。部材Ａ１は、金具連結部１０７と同じ形状を有し、同じ効果を有する。なお、部材Ａ１は、収容凹部２２の一対の側面部とカシメ等で係合する構成でもよい。部材Ａ２は、収容凹部２２に固定される平板状の水平板Ａ２１と、水平板Ａ２１の両端に設けられた一対の側板Ａ２２とを備えている。一対の側板Ａ２２の先端は、連結金具１００及び連結金具２００と同じように、反射部２１のカール部３０に接続している。
【００２６】
部材Ａ２は、器具本体の変形を抑制する機能を持つ。部材Ａ２は部材Ａ１と一体に形成されていることで、器具本体２０の凹部方向Ｘの端部の変形を抑制して、器具本体どうしを連結できる。部材Ｂは部材Ａとは分離している。連結金具３００は部材Ｂに金具爪部１１０が形成されており、連結金具４００は部材Ｂには金具バネ部２１０が形成されている。部材Ｂは、反射部どうしの段差を規制して、反射部間に隙間ができることを防止する。また、隙間ができた場合、その隙間を塞ぐ。部材Ａと部材Ｂに分けることで、部材Ａと部材Ｂとを一体で形成する場合に比べて、連結金具１００及び連結金具２００の成形加工を容易化できる。
【００２７】
＊＊＊実施の形態１の効果＊＊＊
（１）連結金具１００及び連結金具２００によれば、金具傾斜部が、金具凹部と器具本体の反射部の短手方向の端部とを接続するので、器具本体の凹部方向における端部の変形を防止できる。
（２）金具爪部１１０を有する連結金具１００と、金具バネ部２１０を有する連結金具２００とが、隣接する器具本体において反射部の裏面に固定される。金具爪部１１０は、金具バネ部２１０と、金具バネ部２１０が固定されている裏面との間に咥えられるので、隣接する器具本体の端部どうしの間に段差の生じない照明装置を提供できる。
（３）連結金具３００及び連結金具４００では、部材Ａと部材Ｂとが別々の部材である。よって、連結金具３００及び連結金具４００は、連結金具１００及び連結金具２００の効果に加え、成形が容易化できる効果を有する。
【符号の説明】
【００２８】
Ｘ  凹部方向、Ｙ１  外側短手方向、１０  照明装置、２０，２０Ａ，２０Ｂ，２０Ｃ  器具本体、２１，２１Ａ，２１Ａ−１，２１Ａ−２  反射部、２１Ｂ，２１Ｂ−１，２１Ｂ−２  反射部、２２，２２Ａ，２２Ｂ  収容凹部、２４Ｂ  対向端部、２５Ａ，２５Ｂ  収容空間、２６Ａ−１  一方の側縁、２６Ａ−２  他方の側縁、２７Ａ−１  外側短手方向Ｙ１の端部、２７Ｂ−１  外側短手方向Ｙ１の端部、２８Ａ−１，２８Ａ−２  反射面、２８Ｂ−１，２８Ｂ−２  反射面、２９Ａ−１，２９Ａ−２  裏面、２９Ｂ−１，２９Ｂ−２  裏面、３０Ａ−１，３０Ａ−２  カール部、３１Ａ，３１Ｂ  端面、４０Ａ，４０Ｂ，４０Ｃ  光源ユニット、５０  端板、１００，１００Ａ，１００Ｂ  連結金具、１０１，１０１Ａ  金具凹部、１０２，１０２Ａ，１０２Ａ−１，１０２Ａ−２  金具傾斜部、１０３，１０３Ａ，１０３Ａ−１，１０３Ａ−２  金具立上部、１０４，１０４，１０４Ａ−１，１０４Ａ−２  金具引っ掛け部、１０５Ａ  連結ボルト孔、１０６Ａ  電線送り孔、１０７Ａ  金具連結部、１１０Ａ−１，１１０Ａ−２  金具爪部、１１２，１１３  丸形状、２００，２００Ｂ，２００Ｃ  連結金具、２０１，２０１Ｂ  金具凹部、２０２，２０２Ｂ，２０２Ｂ−１，２０２Ｂ−２  金具傾斜部、２０３，２０３Ｂ，２０３Ｂ−１，２０３Ｂ−２  金具立上部、２０４，２０４Ｂ，２０４Ｂ−１，２０４Ｂ−２  金具引っ掛け部、２０５Ｂ  連結ボルト孔、２０６Ｂ  電線送り孔、２０７，２０７Ｂ  金具連結部、２１０，２１０Ｂ，２１０Ｂ−１，２１０Ａ−２  金具バネ部、９２０Ａ  第１の照明器具本体、９２０Ｂ  第２の照明器具本体、９２１Ａ  第１の反射部、９２１Ｂ  第２の反射部、９１００  第１の連結具、９１０１Ａ  第１の連結側固定部、９１０２Ａ  第１の連結側接続部、９１０３Ａ  立ち上がり部、９２００  第２の連結具、９２０１Ｂ  第２の連結側固定部、９２０２Ｂ  第２の連結側接続部、９２０３Ｂ  立ち上がり部。
【図１】
2018088309.tif 000003
【図２】
2018088309.tif 000004
【図３】
2018088309.tif 000005
【図４】
2018088309.tif 000006
【図５】
2018088309.tif 000007
【図６】
2018088309.tif 000008
【図７】
2018088309.tif 000009
【図８】
2018088309.tif 000010